(57)【要約】【課題】  部品点数を増加することなく、また旗体に強風が作用しても、旗体の捲くれ上がりを確実に防止できる旗体の係止具を提供する。【解決手段】  旗体４をポール２に連結保持する旗体の係止具６であって、上記ポールの外周部に、軸周りに回転可能かつ軸方向移動可能に遊嵌されるポール通挿部７と、上記旗体の取付帯５を止着できる止着手段８を設けた連結部９と、上記連結部が上記取付帯によって横方向ないし斜め上方向へ牽引されたとき、上記ポールの外周部に当接させられて上記ポールに対する相対動を阻止する押圧部１１，１２とを備えて構成される。【選択図】  図７
2005283998.tif 000002
【特許請求の範囲】
【請求項１】
旗体をポールに連結保持する旗体の係止具であって、
上記ポールの外周部に、軸周りに回転可能かつ軸方向移動可能に遊嵌されるポール通挿部と、
上記旗体の取付帯を止着できる止着手段を設けた連結部と、
上記連結部が上記取付帯によって横方向ないし斜め上方向へ牽引されたとき、上記ポールの外周部に当接させられて上記ポールに対する相対動を阻止する押圧部とを備える、旗体の係止具。
【請求項２】
上記押圧部によって上記ポールに対する相対動を阻止した状態において、上記取付帯の上記ポール周りの回動を許容する回動許容手段を設けた、請求項１に記載の旗体の係止具。
【請求項３】
上記回動許容手段は、上記押圧部又はこれを設けた部位に対して、上記連結部を回動可能に保持して構成される、請求項２に記載の旗体の係止具。
【請求項４】
上記連結部と上記押圧部とを、上記ポールの軸方向に離れた位置に設けることにより、上記連結部が上記取付帯に牽引されたときに上記ポールの軸に直交する軸周りのモーメントを発生させて、上記押圧部を上記ポールの外周部に当接させる、請求項１から請求項３のいずれかに記載の旗体の係止具。
【請求項５】
上記連結部が、上記ポール通挿部の縁部から上記ポールの外周面に所定の隙間をあけて対向するように延出形成されるとともに、
上記ポール通挿部の内周面に上記押圧部を設けた、請求項１から請求項４のいずれかに記載の旗体の係止具。
【請求項６】
最下方の取付帯を連結保持し、遊嵌状態において上記取付帯を介して旗体を下方へ牽引する、請求項１から請求項５のいずれかに記載の旗体の係止具。
【請求項７】
上記止着手段は、上記取付帯を通挿できるスリットを備えて構成されている、請求項１から請求項６のいずれかに記載の旗体の係止具。
【請求項８】
上記連結部が、上記ポールの外面に対向する半割り円筒状ないし円筒状に形成されている、請求項１から請求項７のいずれかに記載の旗体の係止具。
【請求項９】
上記押圧部は、上記ポール通挿部の内周部に設けた凸部から構成されている、請求項１から請求項８のいずれかに記載の旗体の係止具。
【請求項１０】
上記押圧部は、上記ポールとの相対動を阻止する弾性体を備えて構成されている、請求項１から請求項９のいずれかに記載の旗体の係止具。
【請求項１１】
ポールの外周部に、軸周りに回転可能かつ軸方向移動可能に遊嵌される係止具を介して、旗体を取り付ける旗体の取り付け方法であって、
上記旗体の取付帯によって上記係止具に横方向ないし斜め上方向の力が作用したとき、上記ポールと上記係止具の間に摩擦力を発生させ、上記ポールと上記係止具の相対動を阻止することを特徴とする、旗体の取付方法。
【請求項１２】
上記横方向の力により、上記係止具にポールの軸と直交する軸周りのモーメントを発生させ、上記係止具に設けた押圧部を上記ポールの外面に押圧する、請求項１１に記載の旗体の取付方法。
【請求項１３】
請求項１から請求項８に記載した係止具と、
上記係止具が遊嵌される部分に、上記押圧部との摩擦力を調節する補強被覆を設けたポールとを備える、旗体保持装置。
【発明の詳細な説明】
【技術分野】
【０００１】
本願発明は、ポールに連結される旗体の捲くれ上がり等を防止できる旗体の係止具及び旗体の取付方法に関する。
【背景技術】
【０００２】
幟旗等の旗体は、文字、図形等が描かれた矩形状の布から形成されており、側縁部に設けた取付帯を、上下方向に立設されるポールに通挿するとともに、上縁部に設けた取付帯を上記ポールの上端部から横方向に延びる横竿に通挿して保持される。上記横竿は、上記ポールに対して回転可能に保持されており、風によって旗体が回転しても、ポールに巻きつくことがないように保持されている。
【０００３】
ところが、旗体に風が作用すると、上記旗体に横方向ないし斜め上方向へ向かう力が作用する。このため、上記旗体の側縁部に設けた取付帯が、上記ポールに沿って上方へ移動し、旗体が捲くれ上がる問題があった。上記問題を解決するため、最下方の取付帯を、上記ポールの上方向への移動を阻止した係止具を介して連結することが多い。
【特許文献１】特開２００３−５６８１号公報
【特許文献２】実用新案登録第３０３９７７９号公報
【０００４】
特許文献１には、ポールを通挿し得る内径を有する筒体に、旗体の止め輪を係止する止め輪係止手段を設けて成り、前記ポールに対して上下動及び回転可能に取り付けた幟用ストッパーが記載されている。
【０００５】
また、特許文献２には、Ｃ字型の開口部を弾性的に広げて旗竿外周の所定位置に合わせて固定可能な固定リングを設けると共に、Ｃ字型の開口部を弾性的に広げて旗竿外周に回転自在に取付け可能な回転リングを設け、この回転リングから下向きに半円筒状の紐係止用スリーブを一体に設け、このスリーブの外側には係止された紐を保持するフックを設け、前記回転リングは前記固定リングの下方に配置してなる旗体の巻きつき防止具が記載されている。
【０００６】
上記特許文献１に記載された発明は、ストッパーの自重によって旗体の捲くれ上がりを防止しようとするものである。ところが、自重のみで旗体の捲くれ上がりを防止しようとするものであるため、強風が作用すると、上記ストッパーは上記旗体と一緒にポールの上方へずり上がり、充分な効果を期待することができない。
【０００７】
一方、特許文献２に記載されている巻きつき防止具は、旗竿に固定リングを止着することにより、紐係止用スリーブの上方へのずり上がりを防止するものであり、一定の効果を期待できる。しかしながら、二つの部品が必要になるため、コストが増加する。また、上記固定リングは、旗竿に弾性的に固定するものであるため、弾性力が低下したり、旗体に強風が作用すると、上記特許文献１に記載した発明と同様に、旗竿の上方へずり上がる恐れがある。一方、上記固定リングをポールの特定位置に固着してしまうと、汎用性がなくなる。
【発明の開示】
【発明が解決しようとする課題】
【０００８】
本願発明は、部品点数を増加することなく、また旗体に強風が作用しても、旗体の捲くれ上がりを確実に防止できる旗体の係止具を提供することを課題とする。
【課題を解決するための手段】
【０００９】
本願の請求項１に記載した発明は、旗体をポールに連結保持する旗体の係止具であって、上記ポールの外周部に、軸周りに回転可能かつ軸方向移動可能に遊嵌されるポール通挿部と、上記旗体の取付帯を止着できる止着手段を設けた連結部と、上記連結部が上記取付帯によって横方向ないし斜め上方向へ牽引されたとき、上記ポールの外周部に当接させられて上記ポールに対する相対動を阻止する押圧部とを備えて構成される。
【００１０】
本願発明に係る係止具は、無風あるいは弱い風が作用する状況においては、旗体の取付帯を自重により下方に牽引して旗体を緊張させる。また、旗体をポール周りに回転させようとする風が作用する場合には、上記係止具が旗体と一緒にポールの周りに回転して旗体の巻き付きを防止できる。
【００１１】
一方、旗体を上方へ捲くれ上がらせる風が作用した場合、すなわち、上記取付帯から横方向ないし斜め上方向に力が作用すると、上記押圧部が上記ポールの外周面に当接させられて、上記係止具の上記ポールに対する移動が阻止される。したがって、旗体を上方へ移動させるような強風が作用したときに効果が発揮される。しかも、強い風が作用すればするほど、上記取付帯から上記連結部に作用する力が増加し、上記押圧部のポール外周面に対する押圧力も増加する。このため、確実な効果を発揮することができる。
【００１２】
上記押圧部は、旗体を捲くり上げる程度の風が作用した場合に、上記ポールに当接するように構成するのが望ましい。たとえば、請求項４に記載した発明のように、上記連結部と上記押圧部とを、上記ポールの軸方向に離れた位置に設けることにより、上記連結部が上記取付帯に牽引されたときに上記ポールの軸に直交する軸周りのモーメントを発生させて、上記押圧部を上記ポールの外周部に当接させるように構成することができる。
【００１３】
上記構成を採用することにより、風によって作用する力をてこの原理を利用して調節し、上記押圧部のポール外周部に対する押圧力を調節することができるのである。この場合、上記連結部が力点になり、押圧部が作用点及び／又は支点となる。連結部及び押圧部は、押圧部に必要な押圧力が生じるように設定することができる。また、上記押圧部に作用する力は、旗の大きさ、押圧部の構造、押圧部に採用された材料等によって、必要な摩擦力が生じるように設定するのが好ましい。
【００１４】
本願の請求項２に記載した発明は、上記押圧部によって上記ポールに対する相対動を阻止した状態において、上記取付帯の上記ポール周りの回動を許容する回動許容手段を設けたものである。
【００１５】
通常、風向きが変わる場合には、風の強さが一旦弱まることが多い。本願発明に係る係止具のポール通挿部は、軸周りに回転可能に保持されているため、風の方向に追随して回転させられる。ところが、強風が作用した状態のままで風向きが変わる場合も考えられる。このような場合には、旗体がポールに巻き付く恐れがある。請求項２に記載した発明は、上記のような場合に対応したものである。取付帯の上記ポール周りの回動を許容した状態で上記連結部に保持することにより、上記場合に対応することも可能となる。
【００１６】
たとえば、請求項３に記載した発明のように、上記回動許容手段を、上記押圧部又はこれを設けた部位に対して、上記連結部を回動可能に保持して構成することができる。
【００１７】
本願の請求項４に記載した発明は、上記連結部が、上記ポール通挿部の縁部から上記ポールの外周面に所定の隙間をあけて対向するように延出形成されるとともに、上記ポール通挿部の内周面に上記押圧部を設けて構成される。
【００１８】
上記連結部が上記取付帯によって横方向あるいは斜め上方向に牽引されると、上記ポール通挿部を含む係止具が上記ポールの軸心に対して傾斜させられるようにしてポールに当接させられる。この場合、上記ポール通挿部の内周面に上記押圧部を設定すると、この押圧部が上記ポールの外周面に当接させられ、上記係止具のポールに対する移動が阻止される。
【００１９】
上記押圧部の形態は特に限定されることはない。上記ポール通挿部を円筒内面状に形成しておくだけでも、円筒内面の上下両縁部がポール内面に当接させられて摩擦力が発生する。
【００２０】
また、請求項９に記載した発明のように、上記押圧部を、上記ポール通挿部の内周部に設けた凸部から構成することもできる。
【００２１】
さらに、請求項１０に記載した発明のように、上記押圧部を、上記ポールとの相対動を阻止する弾性体を備えて構成することもできる。弾性体を採用することにより、大きな摩擦力を発生させることが可能となる。
【００２２】
本願発明に係る係止具によって係止する取付帯は、特に限定されることはない。請求項６に記載した発明のように、最下方の取付帯のみに適用することもできるし、側縁中間部の取付帯に適用することもできる。
【００２３】
上記止着手段も限定されることはない。たとえば、帯を係止するフック状のものや、請求項７に記載した発明のように、上記取付帯を通挿できるスリットを備えて構成することができる。また、フック状の止着手段を備えて構成することもできる。
【００２４】
本願の請求項８に記載した発明は、上記連結部を、上記ポールの外面に対向する半割り円筒状ないし円筒状に形成したものである。連結部を半割り円筒状ないし円筒状に形成することにより、取付帯を上記ポールに接触することなく止着することが可能となる。これにより、上記取付帯から上記連結部に円滑に力を作用させることができる。
【００２５】
本願の請求項１１に記載した発明は、ポールの外周部に、軸周りに回転可能かつ軸方向移動可能に遊嵌される係止具を介して、旗体を取り付ける旗体の取り付け方法であって、上記旗体の取付帯によって上記係止具に横方向ないし斜め上方向の力が作用したとき、上記ポールと上記係止具の摩擦力を発生させ、上記ポールと上記係止具の相対動を阻止することを特徴とするものである。
【００２６】
本願発明に係る旗体の取り付け方法では、作用する風の力が強くなればなるほど、上記摩擦力を増加させることができるため、係止具及び取付帯の上方へのずり上がりを確実に防止することができる。
【００２７】
本願の請求項１２に記載した発明は、上記横方向の力により、上記係止具にポールの軸と直交する軸周りのモーメントを発生させ、上記係止具に設けた押圧部を上記ポールの外面に押圧するものである。
【００２８】
上記取付帯から作用する力から直接的に摩擦力を発生させるのではなく、モーメントを介して摩擦力を発生させることにより、作用する摩擦力を調節することが可能となる。したがって、旗体の大きさや構造等によって最適な摩擦力を発生させることが可能となる。
【００２９】
本願の請求項１３に記載した発明は、請求項１から請求項１０に記載した係止具と、上記係止具が遊嵌される部分に、上記押圧部との摩擦力を調節する補強被覆を設けたポールとを備える旗体保持装置に係るものである。
【００３０】
上記ポールにおいて、上記係止具の押圧部が作用する部分は限定される。したがって、旗体の大きさや設置場所等によって、この部分に押圧部から作用する摩擦力を調節できる補強被覆を設けることにより、さらに適用範囲を広げることができる。また、ポールの傷みを防止することも可能となる。
【発明の効果】
【００３１】
本願発明に係る旗体の係止具においては、風の力を利用して発生させた摩擦力によって、旗体の捲くれ上がりを防止する。したがって、風の強さに応じた捲くれ上がり抵抗を発生させることが可能となり、確実な効果を発揮させることができる。また、ストッパー等の別部材を必要とすることがないため、安価に提供することも可能である。
【発明を実施するための最良の形態】
【００３２】
以下、本願発明に係る最良の実施の形態を図面に基づいて具体的に説明する。
【００３３】
図１に示すように、幟旗１は上下方向に立設されるポール２と、このポール２の上端部から横方向に延出する横竿３と、これらポール２及び横竿３に連結される旗体４とを備えて構成される。
【００３４】
上記旗体４の側縁部及び上縁部には、上記ポール２及び上記横竿３を通挿しうる複数の取付帯５が縫着されている。上記旗体４は、上記取付帯５を介して上記ポール２及び上記横竿３に連結保持される。本実施の形態では、最下方の取付帯５が、係止具６を介して上記ポール２に連結保持されている。
【００３５】
上記係止具６は、図２から図５に示すように、ポール２の外周部に、軸周りに回転可能かつ軸方向移動可能に遊嵌されるポール通挿部７と、上記取付帯５を止着できる止着手段８を設けた連結部９とを備えて構成される。
【００３６】
上記ポール通挿部７は、上記ポール２の外形より若干大きな内径を有する円筒状に形成されている。一方、上記連結部９は、上記ポール通挿部７より大きな内径を有する半割り円筒状に形成されている。上記止着手段８は、上記連結部９の下縁部から軸方向に延びる二つのスリット１０，１０を設けて構成されている。
【００３７】
図６に示すように、上記取付帯５は、先端部分を上記連結部９の内側に回すようにして上記スリット１０，１０に通挿され、上記連結部９の外周に巻回状に保持される。
【００３８】
図７に、上記構成の幟旗１に強風が作用した状態を示す。強風が作用すると、旗体４が風下方向に牽引されるとともに、この力が上記取付帯５を介して横方向の力Ｆとして上記係止具６に伝達され、連結部９が横方向に牽引される。
【００３９】
上記横方向の力Ｆは、上記係止具６を上記ポール２の軸線に対して傾斜させるように作用する。これにより、上記ポール通挿部７における旗体側の上方縁部１１と旗体と反対側の下方縁部１２が上記ポール２の外周部を押圧するように当接させられる。そして、上記各縁部１１，１２と上記ポール外周部との間に作用する摩擦力によって上記係止具６の移動が阻止される。
【００４０】
上記摩擦力は、上記横方向の力Ｆに比例して大きくなる。したがって、旗体を上方へずり上げようとする力が大きくなればなるほど上記摩擦力も大きくなり、旗体４の下部が上方へずり上がるのを阻止することができる。また、上記摩擦力は、上記ポール通挿部の上下縁部を作用点ないし支点とし、上記連結部を力点とするてこの原理で発生する。したがって、連結部の長さ等を変更することにより、旗体の大きさ等に応じて作用する力を調節することが可能となる。
【００４１】
一方、風が作用しない状態あるいは弱い風が作用するにすぎない場合には、上記摩擦力は生じることはなく、下方に旗体を牽引して旗体に張力を与えた状態で保持することができる。また、上記旗体４をポール２の周りに回転させる力が作用した場合にも、上記摩擦力は発生することはなく、旗体の回転が許容される。
【００４２】
図８及び図９に、本願発明の第２の実施の形態に係る係止具２０６を示す。
【００４３】
本実施の形態は、ポール通挿部２０７の上下の縁部に、上記ポール２０２の外周部に当接させられる押圧部２１１、２１２を設けたものである。本実施の形態では、上記押圧部２１１、２１２は、旗体側の上縁部と反対側の下縁部に環状突部をそれぞれ設けて構成される。連結部２０９に取付帯２０５から横方向の力が作用すると、上記押圧部２１１，２１２が、上記ポールの外周面を押圧するように当接させられ、摩擦力が発生して上記係止具２０６の移動を阻止する。
【００４４】
上記押圧部２１１、２１２を設けることにより、発生させる摩擦力を大きくすることが可能となり、旗体２０４のずり上がりを確実に阻止することができる。また、押圧部２１１、２１２の摩耗の進行を小さくするとともに、風の強さに応じた摩擦力を発生させることができる。
【００４５】
図１０及び図１１に、本願発明の第３の実施の形態に係る係止具３０６を示す。
【００４６】
本実施の形態は、押圧部３１１に摩擦抵抗の大きいゴム部材３１３を採用したものである。上記ゴム部材３１３は、ポール通挿部３０７の上縁部に環状溝を形成して取付けられている。なお、実施の形態では、旗体側の上縁部にのみゴム部材３１３を設けたが、旗体と反対側の下縁部は、図７に示す第１の実施の形態と同様に、縁部自体が押圧部３１２を構成しており、ポール３０２の外周部に当接させられるように構成されている。
【００４７】
本願発明は上述の実施の形態に限定されることはない。実施の形態では、矩形状の旗体４を備える幟旗１に本願発明を適用したが、他の形態の旗体に適用することもできる。
【００４８】
また、実施の形態では、取付帯と係止具とが一体的に回転するように構成したが、上記連結部を上記ポール通挿部に対して回動を許容するように構成することにより、上記取付帯を係止具に対して回転可能に保持することもできる。
【００４９】
また、実施の形態では、最下方の取付帯のみを係止具を介してポールに連結したが、中間部の取付帯を係止具を介して連結することもできる。
【図面の簡単な説明】
【００５０】
【図１】本願発明が適用される幟旗の全体構造を示す正面図である。
【図２】本願発明に係る係止具の正面図である。
【図３】図２に示す係止具の左側面図である。
【図４】図２に示す係止具の底面図である。
【図５】図３におけるV −V 線に沿う断面図である。
【図６】取付帯をスリットに止着した状態を示す底面図である。
【図７】旗体に強風が作用した場合の本願発明の作用を示す断面図である。
【図８】本願発明の第２の実施の形態を示す図であり、図７に相当する断面図である。
【図９】図８に示す係止具の平面図である。
【図１０】本願発明の第３の実施の形態を示す図であり、図５に相当する断面図である。
【図１１】図１０に示す係止具の平面図である。
【符号の説明】
【００５１】
４  旗体
２  ポール
６  係止具
７  ポール通挿部
５  取付帯
８  止着手段
９  連結部
１１  押圧部
【図１】
2005283998.tif 000003
【図２】
2005283998.tif 000004
【図３】
2005283998.tif 000005
【図４】
2005283998.tif 000006
【図５】
2005283998.tif 000007
【図６】
2005283998.tif 000008
【図７】
2005283998.tif 000009
【図８】
2005283998.tif 000010
【図９】
2005283998.tif 000011
【図１０】
2005283998.tif 000012
【図１１】
2005283998.tif 000013